(57)【要約】      （修正有）【課題】再使用可能で、かつユーザによる着脱を容易にし、コストを効果的に削減し、浪費を回避し、ユーザ心理を向上させる新型通い箱を提供する。【解決手段】新型通い箱は、筐体、蓋体、第１のロック構造３及び第２のロック構造４を含み、蓋体が筐体に着脱可能に覆われ、筐体が物品５を収容するものであり、第１のロック構造が物品を筐体に着脱可能にロックし、第２のロック構造が蓋体を筐体に着脱可能にロックして、蓋体により物品を筐体に押し付ける。ユーザは、第１のロック構造により物品に対する第１段階のロックを実現することができ、第２のロック構造により物品に対する第２段階のロックを実現することができ、さらに、第１のロック構造及び第２のロック構造によるロックを解除し、蓋体を開くこともでき、これにより、ユーザによる物品の取り出しを容易にするだけでなく、通い箱を損なわず、二次利用することができる。【選択図】図３
0003233149.tif 000002
【実用新案登録請求の範囲】
【請求項１】
筐体（１）、蓋体（２）、第１のロック構造（３）及び第２のロック構造（４）を含み、前記蓋体（２）が前記筐体（１）に着脱可能に覆われ、前記筐体（１）が物品（５）を収容するものであり、前記第１のロック構造（３）が物品（５）を前記筐体（１）に着脱可能にロックするものであり、前記第２のロック構造（４）が前記蓋体（２）を前記筐体（１）に着脱可能にロックして、前記蓋体（２）により物品（５）を前記筐体（１）に押し付けるものである、ことを特徴とする新型通い箱。
【請求項２】
前記筐体（１）は、ベース（１１）とキャビティ（１２）を含み、前記キャビティ（１２）が前記ベース（１１）に着脱可能に嵌着され、前記第１のロック構造（３）の一端が前記ベース（１１）に接続され、前記第１のロック構造（３）の他端が物品（５）に接続されて、前記第１のロック構造（３）により物品（５）を前記ベース（１１）にロックする、ことを特徴とする請求項１に記載の新型通い箱。
【請求項３】
前記第１のロック構造（３）は、第１のロックストラップ（３１）を含み、前記第１のロックストラップ（３１）の一端に第１のロックバックル（３１１）が設置され、前記第１のロックストラップ（３１）の他端に第１のロック口（３１２）が設置され、前記第１のロックバックル（３１１）と前記第１のロック口（３１２）が着脱可能に接続され、前記第１のロックバックル（３１１）が前記第１のロック口（３１２）に接続される場合、前記第１のロック構造（３）は物品（５）を前記筐体（１）にロックし、前記第１のロックバックル（３１１）が前記第１のロック口（３１２）から分離される場合、前記第１のロック構造（３）のロックが解除される、ことを特徴とする請求項１に記載の新型通い箱。
【請求項４】
前記第２のロック構造（４）は、第２のロックストラップ（４１）を含み、前記第２のロックストラップ（４１）の一端に第２のロックバックル（４１１）が設置され、前記第２のロックストラップ（４１）の他端に第２のロック口（４１２）が設置され、前記第２のロックバックル（４１１）と前記第２のロック口（４１２）が着脱可能に接続され、前記第２のロックバックル（４１１）が前記第２のロック口（４１２）に接続される場合、前記第２のロック構造（４）は前記蓋体（２）を前記筐体（１）にロックし、前記第２のロックバックル（４１１）が前記第２のロック口（４１２）から分離される場合、前記第２のロック構造（４）のロックが解除される、ことを特徴とする請求項１に記載の新型通い箱。
【請求項５】
前記第１のロック構造（３）には、第１のロックストラップ（３１）の長さを調節する第１の調節構造（３２）がさらに設置されている、ことを特徴とする請求項３に記載の新型通い箱。
【請求項６】
前記第２のロック構造（４）には、第２のロックストラップ（４１）の長さを調節する第２の調節構造（４２）がさらに設置されている、ことを特徴とする請求項４に記載の新型通い箱。
【請求項７】
前記ベース（１１）に第３のロック口（１１１）が設置され、前記第１のロック構造（３）の一端が前記第３のロック口（１１１）に接続され、前記第１のロック構造（３）の他端が物品（５）に接続されて、前記第１のロック構造（３）により物品（５）を前記ベース（１１）にロックする、ことを特徴とする請求項２に記載の新型通い箱。
【請求項８】
前記ベース（１１）と物品（５）の間に第１の保護スリーブ（６）が設置されている、ことを特徴とする請求項２に記載の新型通い箱。
【請求項９】
前記第１のロック構造（３）と物品（５）の間に第２の保護スリーブ（７）が設置されている、ことを特徴とする請求項１に記載の新型通い箱。
【請求項１０】
前記蓋体（２）と物品（５）の間に第３の保護スリーブ（８）が設置され、かつ前記第３の保護スリーブ（８）が前記第２のロック構造（４）に向かって設置されている、ことを特徴とする請求項１に記載の新型通い箱。
【考案の詳細な説明】
【技術分野】
【０００１】
本考案は、通い箱の技術分野に関し、特に新型通い箱に関する。
【背景技術】
【０００２】
アフターメンテナンス、工場への返送などのプロセスにおいて、常に、大型物品を包装箱付きで短距離輸送する必要があるが、従来の使い捨て包装箱は、粘着テープで密封され、開封後に、再使用できず、輸送時に新しい使い捨て包装材しか使用できないため、コストを増加させ、ユーザ心理に影響を与えるだけでなく、大きな浪費をもたらすと共に、環境に優しくない。
【０００３】
したがって、コストを削減し、浪費を回避し、ユーザ心理を向上させるために、再使用可能で、かつユーザによる着脱を容易にする新型通い箱が市場で求められている。
【考案の概要】
【考案が解決しようとする課題】
【０００４】
従来技術の不足を解消するために、本考案は、再使用可能で、かつユーザによる着脱を容易にし、コストを効果的に削減し、浪費を回避し、ユーザ心理を向上させる新型通い箱を提供する。
【課題を解決するための手段】
【０００５】
本考案は、その技術的課題を解決するために、以下の技術手段を採用する。
本考案に係る新型通い箱は、筐体、蓋体、第１のロック構造及び第２のロック構造を含み、前記蓋体が前記筐体に着脱可能に覆われ、前記筐体が物品を収容するものであり、前記第１のロック構造が物品を前記筐体に着脱可能にロックするものであり、前記第２のロック構造が前記蓋体を前記筐体に着脱可能にロックして、前記蓋体により物品を前記筐体に押し付けるものである。
【０００６】
本考案の態様として、前記筐体は、ベースとキャビティを含み、前記キャビティが前記ベースに着脱可能に嵌着され、前記第１のロック構造の一端が前記ベースに接続され、前記第１のロック構造の他端が物品に接続されて、前記第１のロック構造により物品を前記ベースにロックする。
本考案の態様として、前記第１のロック構造は、第１のロックストラップを含み、前記第１のロックストラップの一端に第１のロックバックルが設置され、前記第１のロックストラップの他端に第１のロック口が設置され、前記第１のロックバックルと前記第１のロック口が着脱可能に接続され、前記第１のロックバックルが前記第１のロック口に接続される場合、前記第１のロック構造は物品を前記筐体にロックし、前記第１のロックバックルが前記第１のロック口から分離される場合、前記第１のロック構造のロックが解除される。
本考案の態様として、前記第２のロック構造は、第２のロックストラップを含み、前記第２のロックストラップの一端に第２のロックバックルが設置され、前記第２のロックストラップの他端に第２のロック口が設置され、前記第２のロックバックルと前記第２のロック口が着脱可能に接続され、前記第２のロックバックルが前記第２のロック口に接続される場合、前記第２のロック構造は前記蓋体を前記筐体にロックし、前記第２のロックバックルが前記第２のロック口から分離される場合、前記第２のロック構造のロックが解除される。
本考案の態様として、前記第１のロック構造には、第１のロックストラップの長さを調節する第１の調節構造がさらに設置されている。
本考案の態様として、前記第２のロック構造には、第２のロックストラップの長さを調節する第２の調節構造がさらに設置されている。
本考案の態様として、前記ベースに第３のロック口が設置され、前記第１のロック構造の一端が前記第３のロック口に接続され、前記第１のロック構造の他端が物品に接続されて、前記第１のロック構造により物品を前記ベースにロックする。
本考案の態様として、前記ベースと物品の間に第１の保護スリーブが設置されている。
本考案の態様として、前記第１のロック構造と物品の間に第２の保護スリーブが設置されている。
本考案の態様として、前記蓋体と物品の間に第３の保護スリーブが設置され、かつ前記第３の保護スリーブが前記第２のロック構造に向かって設置されている。
【考案の効果】
【０００７】
本考案の有益な効果は、以下のとおりである。本考案の新型通い箱は、筐体、蓋体、第１のロック構造及び第２のロック構造を含み、蓋体が筐体に着脱可能に覆われ、筐体が物品を収容するものであり、第１のロック構造が物品を筐体に着脱可能にロックするものであり、第２のロック構造が蓋体を筐体に着脱可能にロックして、蓋体により物品を筐体に押し付けるものであるため、ユーザは、第１のロック構造により物品を筐体に着脱可能にロックして、物品に対する第１段階のロックを実現することができ、そして、第２のロック構造により蓋体を筐体にロックして、蓋体により物品を筐体に押し付けて、物品に対する第２段階のロックを実現することができ、さらに、第１のロック構造が物品を筐体に着脱可能にロックするものであり、第２のロック構造が蓋体を筐体に着脱可能にロックするものであるため、物品の輸送、運搬が完了すると、第１のロック構造及び第２のロック構造によるロックを解除し、蓋体を開くことができ、これにより、ユーザによる物品の取り出しを容易にするだけでなく、通い箱を損なわず、通い箱をそのままにして、二次利用することができる。
【図面の簡単な説明】
【０００８】
【図１】本考案の全体構造の概略図である。
【図２】ベース、第１のロック構造及び第２のロック構造の構造概略図である。
【図３】ロック状態にある第１のロック構造の構造概略図である。
【図４】ロック解除状態にある第１のロック構造の構造概略図である。
【図５】第１の保護スリーブ、第２の保護スリーブ及び第３の保護スリーブの構造概略図である。
【考案を実施するための形態】
【０００９】
以下、図面及び実施例を参照しながら、本考案をさらに説明する。
【００１０】
図１〜図５を参照すると、新型通い箱は、筐体１、蓋体２、第１のロック構造３及び第２のロック構造４を含み、蓋体２が筐体１に着脱可能に覆われ、筐体１が物品５を収容するものであり、第１のロック構造３が物品５を筐体１に着脱可能にロックするものであり、第２のロック構造４が蓋体２を筐体１に着脱可能にロックして、蓋体２により物品５を筐体１に押し付けるものである。
【００１１】
上記構造により、筐体１、蓋体２、第１のロック構造３及び第２のロック構造４を含み、蓋体２が筐体１に着脱可能に覆われ、筐体１が物品５を収容するものであり、第１のロック構造３が物品５を筐体１に着脱可能にロックするものであり、第２のロック構造４が蓋体２を筐体１に着脱可能にロックして、蓋体２により物品５を筐体１に押し付けるものであるため、ユーザは、第１のロック構造３により物品５を筐体１に着脱可能にロックして、物品５に対する第１段階のロックを実現することができ、そして、第２のロック構造４により蓋体２を筐体１にロックして、蓋体２により物品５を筐体１に押し付けて、物品５に対する第２段階のロックを実現することができ、さらに、第１のロック構造３が物品５を筐体１に着脱可能にロックするものであり、第２のロック構造４が蓋体２を筐体１に着脱可能にロックするものであるため、物品５の輸送、運搬が完了すると、第１のロック構造３及び第２のロック構造４によるロックを解除し、蓋体２を開くことができ、これにより、ユーザによる物品５の取り出しを容易にするだけでなく、通い箱を損なわず、通い箱をそのままにして、二次利用することができる。
【００１２】
物品５は、テレビであってもよく、コンピュータ又は他の物品であってもよい。
さらに、第１のロック構造３の数は２つであり、第２のロック構造４の数は２つである。上記構造により、さらに物品５を通い箱にロックし、物品５の位置ずれを防止し、物品５を効果的に保護することができる。
【００１３】
本実施例では、筐体１は、ベース１１と囲い（キャビティ）１２を含み、囲い１２がベース１１に着脱可能に嵌着され、第１のロック構造３の一端がベース１１に接続され、第１のロック構造３の他端が物品５に接続されて、第１のロック構造３により物品５をベース１１にロックする。
【００１４】
上記構造により、第１のロック構造３は、物品５をベース１１に効果的にロックして、物品５の位置ずれを防止することができ、さらに、囲い１２がベース１２に着脱可能に嵌着されるため、ユーザは、囲い１１をベース１２から取り外して、第１のロック構造３による物品５のベース１２へのロックを容易にし、囲い１１によるユーザ操作への妨害を防止することができ、ロック動作が完了すると、囲い１１をベース１２に嵌着することができ、囲い１１が物品５を取り囲むようにして、物品５を保護する。
【００１５】
第１のロック構造３は、第１のロックストラップ３１を含み、第１のロックストラップ３１の一端に第１のロックバックル３１１が設置され、第１のロックストラップ３１の他端に第１のロック口３１２が設置され、第１のロックバックル３１１と第１のロック口３１２が着脱可能に接続され、第１のロックバックル３１１が第１のロック口３１２に接続される場合、第１のロック構造３は物品５を筐体１にロックし、第１のロックバックル３１１が第１のロック口３１２から分離される場合、第１のロック構造３のロックが解除される。
【００１６】
上記構造により、第１のロック構造３が物品５を筐体１に着脱可能にロックする機能を実現し、構造が簡単であり、接続が安定して、実施しやすく、そして、ユーザが通い箱を開いて物品５を取り出す必要がある場合、第１のロックバックル３１１と第１のロック口３１２を分離するだけで、物品５を取り出すことができ、通い箱と第１のロック構造３を損なわず、通い箱を二次利用することができる。
【００１７】
本実施例では、第２のロック構造４は、第２のロックストラップ４１を含み、第２のロックストラップ４１の一端に第２のロックバックル４１１が設置され、第２のロックストラップ４１の他端に第２のロック口４１２が設置され、第２のロックバックル４１１と第２のロック口４１２が着脱可能に接続され、第２のロックバックル４１１が第２のロック口４１２に接続される場合、第２のロック構造４は蓋体２を筐体１にロックし、第２のロックバックル４１１が第２のロック口４１２から分離される場合、第２のロック構造４のロックが解除される。
【００１８】
上記構造により、第２のロック構造４が蓋体２を筐体１に着脱可能にロックして、蓋体２により物品５を筐体１に押し付ける機能を実現し、構造が簡単であり、接続が安定して、実施しやすく、そして、ユーザが通い箱を開いて物品５を取り出す必要がある場合、第２のロックバックル４１１と第２のロック口４１２を分離するだけで、物品５を取り出すことができ、通い箱と第２のロック構造４を損なわず、通い箱を二次利用することができる。
【００１９】
第１のロック構造３には、第１のロックストラップ３１の長さを調節する第１の調節構造３２がさらに設置されている。第１の調節構造３２は、第１の調節ストラップ３２１及び第１の調節バックル３２２を含み、第１の調節ストラップ３２１が第１の調節バックル３２２に接続される。上記構造により、ユーザは、第１の調節構造３２の第１の調節ストラップ３２１及び第１の調節バックル３２２を用いて第１のロックストラップ３１の長さを調節して、第１のロック構造３の物品５に対するロック強度を調節することにより、通い箱と第１のロック構造３が様々なサイズの物品５に適応する。
【００２０】
さらに、第２のロック構造４には、第２のロックストラップ４１の長さを調節する第２の調節構造４２がさらに設置されている。第２の調節構造４２は、第２の調節ストラップ４２１及び第２の調節バックル４２２を含み、第２の調節ストラップ４２１が第２の調節バックル４２２に接続される。上記構造により、ユーザは、第２の調節構造４２の第２の調節ストラップ４２１及び第２の調節バックル４２２を用いて第２のロックストラップ４１の長さを調節して、第２のロック構造４の蓋体２に対するロック強度を調節することができる。
【００２１】
本実施例では、ベース１１に第３のロック口１１１が設置され、第１のロック構造３の一端が第３のロック口１１１に接続され、第１のロック構造３の他端が物品５に接続されて、第１のロック構造３により物品５をベース１１にロックする。上記構造により、第１のロック構造とベースの接続を実現し、構造が簡単であり、接続が安定して、第１のロック構造３による物品のベースへのロックを容易にする。
【００２２】
本実施例では、ベース１１と物品５の間に第１の保護スリーブ６が設置されている。第１のロック構造３と物品５の間に第２の保護スリーブ７が設置されている。さらに、蓋体２と物品５の間に第３の保護スリーブ８が設置され、かつ第３の保護スリーブ８が第２のロック構造４に向かって設置されている。
【００２３】
上記構造により、第１のロック構造３が物品５をベース１１にロックする場合、第１の保護スリーブ６及び第２の保護スリーブ７は、第１のロック構造３が過度のロックによって物品５を損傷することを効果的に防止することができ、そして、第２のロック構造４が蓋体２を筐体１に着脱可能にロックして、蓋体２により物品５を筐体１に押し付ける場合、第３の保護スリーブ８は、第２のロック構造４が過度のロックによって物品５を損傷することを効果的に防止することができ、ユーザ心理を大幅に向上させる。
【００２４】
以上の記載は、具体的な内容を組み合わせて提供される１つ以上の実施形態であり、本考案の具体的な実施形態は、これらの説明に限定されるものであると認められない。本考案の方法、構成などと近似し、同等であるか、又は本考案の構想で行われたいくつかの技術推定又は置換は、いずれも本考案の保護範囲に属するものと見なされるべきである。
【符号の説明】
【００２５】
１  筐体
２  蓋体
３  第１のロック構造
４  第２のロック構造
５  物品
６  第１の保護スリーブ
７  第２の保護スリーブ
８  第３の保護スリーブ
１１  ベース
１２  囲い
３１  第１のロックストラップ
３２  第１の調節構造
４１  第２のロック構造
４２  第２のロックストラップ
【図１】
0003233149.tif 000003
【図２】
0003233149.tif 000004
【図３】
0003233149.tif 000005
【図４】
0003233149.tif 000006
【図５】
0003233149.tif 000007